(57)【要約】医療施設（１４）の部屋（１３、１１３）にあるベッド（１６、１１６）とともに使用するのに適合しているヘッドウォール（１０、１１０）である。ヘッドウォール（１０、１１０）はサービスデリバリーユニット（２０、１２０）を備え、サービスデリバリーユニットは部屋（１３、１１３）の壁（１２、１１２）に対して、収納位置と、ベッド（１６、１１６）がサービスデリバリーユニット（２０、１２０）に結合することを可能にする使用位置との間で移動できる。ヘッドウォール（１０、２１０、３４９、４６４）を使用して、ベッドの側部レールに搭載されている患者看護機器（３４２、４１８、５１８）にサービスを提供することが開示される。患者看護機器とは、例えば、胸腔ドレナージユニット（３４２）、注入ユニット（４１８）、或いは真空包帯ユニット（５１８）である。
2005516635.tif 000002
【特許請求の範囲】
【請求項１】
医療施設（healthcare facility）にある、壁を有する部屋にあるベッドとともに使用するのに適合しているヘッドウォールであって、前記ヘッドウォールは、
前記ベッドに第一サービスを提供する第一サービスコネクタを有し、キャビティを有する第一サービスデリバリーユニットと、
前記ベッドに第二サービスを提供する第二サービスコネクタを有する第二サービスデリバリーユニットと
を備え、
前記第二サービスデリバリーユニットは、前記壁と前記第一サービスデリバリーユニットとの少なくとも一つに支持され、前記第二サービスコネクタが前記キャビティ内に配置される収納位置と、前記第二サービスコネクタが前記キャビティ外に配置される使用位置との間で動き、前記ベッドが前記第二サービスデリバリーユニットに結合することを可能にして前記第二サービスコネクタから前記ベッドへ前記第二サービスを伝送する。
【請求項２】
請求項１に記載の前記ヘッドウォールであって、
前記第一サービスデリバリーユニットは上部分と、前記上部分から下方に延長する一組の側部分とを有し、
前記上部分と前記側部分とが連携して前記キャビティを提供する。
【請求項３】
請求項２に記載の前記ヘッドウォールであって、
前記第二サービスデリバリーユニットは、前記側部分に回転可能に結合している第一端部分と、前記第二サービスコンセントを有する反対側の第二端部分とを有する。
【請求項４】
請求項３に記載の前記ヘッドウォールであって、
前記上部分は、前記第二サービスデリバリーユニットを前記収納位置から前記使用位置へ回転させるために前記第二端部にアクセスできるように配置された切欠きを有する。
【請求項５】
請求項２に記載の前記ヘッドウォールであって、
前記第二サービスコネクタは、前記収納位置のときには前記上部分を向き、前記使用位置のときには前記上部分に向かない。
【請求項６】
請求項２に記載の前記ヘッドウォールであって、
前記側部分の一つは前記第一サービスコネクタを有し、前記側部分のもう一つは第三サービスコネクタを有し前記ベッドに伝送する第三サービスを提供する。
【請求項７】
請求項６に記載の前記ヘッドウォールであって、
前記上部分と前記側部分とが協同してＣ字型を形成する。
【請求項８】
請求項１に記載の前記ヘッドウォールであって、
前記第二サービスデリバリーユニットは、前記第二サービスコネクタを有する端面と、前記端面から延長している一組の側面とを有し、
前記第一サービスデリバリーユニットは、前記第二サービスデリバリーユニットが前記収納位置に配置されているときに前記端面と前記側面とを囲む。
【請求項９】
請求項１に記載の前記ヘッドウォールであって、
前記第二サービスデリバリーユニットは、前記第一サービスデリバリーユニットに回転可能に結合されて、前記収納位置と前記使用位置との間で動く。
【請求項１０】
請求項１に記載の前記ヘッドウォールであって、
前記第二サービスデリバリーユニットは、前記収納位置では前記キャビティの中に収まる。
【請求項１１】
請求項１に記載の前記ヘッドウォールであって、
前記第二サービスコネクタは、
前記ベッドに電力を供給する電力コンセント（electrical power outlets）と、
前記ベッドに陰圧（negative pressure）を提供する陰圧ポート（negative pressure ports）と、
前記ベッドに医療ガスを提供する医療ガスポート（medical gas port）と、
前記ベッドに作動流体（hydraulic fluid）を提供する作動液ポートと、
前記ベッドに機械動力を提供するモータと、
のうちの一つである。
【請求項１２】
医療施設にある、壁を有する部屋にあるベッドとともに使用するヘッドウォールであって、前記ヘッドウォールは、
前記壁に結合される支持体と、
サービスコネクタを有するサービスデリバリーユニットと、
を備え、
前記サービスデリバリーユニットは前記支持体に結合されており、前記サービスデリバリーユニットは
前記サービスコネクタが前記壁に隣接するように配置される収納位置と、
前記サービスコネクタが前記第一位置から離れて設置されて、前記ベッドが前記サービスデリバリーユニットに結合することが可能になりサービスを前記サービスコネクタから前記ベッドへ伝送する使用位置と、
の間で回転可能に動き、
前記サービスコネクタは、電力コンセントと、陰圧ポートと、医療ガスポートと、作動流体ポートと、モータとのうちの一つである。
【請求項１３】
請求項１２に記載のヘッドウォールであって、
前記サービスコネクタは電力コンセントである。
【請求項１４】
請求項１２に記載のヘッドウォールであって、
前記サービスコネクタは陰圧ポートである。
【請求項１５】
請求項１２に記載のヘッドウォールであって、
前記サービスコネクタは医療ガスポートである。
【請求項１６】
請求項１２に記載のヘッドウォールであって、
前記サービスコネクタは作動流体ポートである。
【請求項１７】
請求項１２に記載のヘッドウォールであって、
部品はモータである。
【請求項１８】
共有壁を共有している、第一ベッドが中にある前記第一部屋と第二ベッドが中にある前記第二部屋とを有する医療施設で使用するのに適しているヘッドウォール装置（arrangement）であって、前記ヘッドウォール装置は、
前記第一ベッドに第一サービスを提供する前記第一部屋に配置される第一ヘッドウォールと、
前記第二ベッドに第二サービスを提供する前記第二部屋に配置される第二ヘッドウォールと、
前記共用壁内の開口に配置される、前記第一ヘッドウォールと前記第二ヘッドウォールとを結合するブリッジ部分と
を備える。
【請求項１９】
請求項１８に記載の前記ヘッドウォール装置であって、
前記ブリッジ部分は、前記第一ヘッドウォールと前記第二ヘッドウォールとの間に連結して配置されるサービスデリバリー機器（service delivery equipment）を有して、前記第一サービスを前記第一ヘッドウォールに提供し、前記第二サービスを前記第二ヘッドウォールに提供する。
【請求項２０】
請求項１９に記載の前記ヘッドウォール装置であって、
前記ブリッジ部分は前記第一ヘッドウォールと前記第二ヘッドウォールとの間に配置されて結合されるハウジングを有し、
前記ハウジングは内部部分を有し、
前記サービスデリバリー機器は前記内部部分内に配置されている。
【請求項２１】
請求項１９に記載の前記ヘッドウォール装置であって、
前記第一ヘッドウォールは、前記第一ベッドに結合される第一サービスコネクタを有し、
前記第二ヘッドウォールは、前記第二ベッドに結合される第二サービスコネクタを有し、
前記サービスデリバリー機器は、前記第一ヘッドウォールと前記第二ヘッドウォールとの間に配置され、前記第一サービスコネクタと前記第二サービスコネクタとを連結して、前記第一サービスを前記第一ベッドに提供して前記第二サービスを前記第二ベッドに提供するポンプを有する。
【請求項２２】
請求項２１に記載の前記ヘッドウォール装置であって、
前記サービスデリバリー機器は、前記ポンプに結合して前記第一ヘッドウォールと前記第二ヘッドウォールとの間に配置されるモータを有する。
【請求項２３】
請求項１９に記載の前記ヘッドウォール装置であって、
前記第一ヘッドウォールは、前記第一ベッドに結合される第一サービスコネクタを有し、
前記第二ヘッドウォールは、前記第二ベッドに結合される第二サービスコネクタを有し、
前記サービスデリバリー機器は、前記第一ヘッドウォールと前記第二ヘッドウォールとの間に配置され、前記第一サービスコネクタと前記第二サービスコネクタとに連結して、前記第一ベッドと前記第二ベッドとへ作動流体を提供する作動流体貯留部を有する。
【請求項２４】
請求項１９に記載の前記ヘッドウォール装置であって、
各ヘッドウォールは各ベッドに結合されるサービスコネクタを有し、
前記サービスデリバリー機器は、作動流体を収納するための作動流体貯留部と、ポンプと、作動流体を作動流体貯留部から各サービスコネクタを介して各ベッドへ注入するようにポンプを作動させるモータとを有する。
【請求項２５】
患者に使用するのに適合している患者看護装置であって、前記患者看護装置は、
キャビティを有する側部レールを有する、前記患者を支持するためのベッドと、
治療制御装置と、前記治療制御装置に結合して前記治療制御装置が制御する治療を患者に提供する治療ラインとを有する患者看護機器と、
を備え、
前記治療制御装置は前記側部レールに結合されて前記キャビティ内に配置される。
【請求項２６】
請求項２５に記載の前記患者看護装置であって、
前記患者看護装置は、前記治療制御装置と治療ラインとを有する注入ユニットであり、
前記治療制御装置は薬物を収容する薬物容器を有し、前記治療ラインは前記薬物容器に結合して前記薬物容器から患者へ投薬を実施して、
前記薬物容器は前記キャビティ内に配置されている。
【請求項２７】
請求項２６に記載の前記患者看護装置であって、
前記キャビティは壁を有し、
前記注入ユニットは、前記薬物容器を保持して前記壁に結合しているハウジングを有する。
【請求項２８】
請求項２７に記載の前記患者看護装置であって、
前記側部レールはレッジを有し、
前記ハウジングは前記レッジの上に配置される。
【請求項２９】
請求項２８に記載の前記患者看護装置であって、
前記レッジは切欠きを有し、
前記治療ラインは前記切欠きを通り延長している。
【請求項３０】
請求項２６に記載の前記患者看護装置であって、
前記薬物容器は注射器である。
【請求項３１】
請求項２５に記載の前記患者看護装置であって、
前記患者看護装置は、治療制御装置と治療ラインとを有する真空包帯ユニットであり、
前記治療制御装置は、真空包帯（vacuum wound bandage）を有し、前記治療制御装置から患者の傷に陰圧を与えて傷を真空治療（vacuum therapy）する。
【請求項３２】
請求項３１に記載の前記患者看護装置であって、
前記治療制御装置は、
前記側部レールに結合されて前記キャビティ内に配置されるハウジングと、
前記真空包帯から廃棄物を受け入れる廃棄物収集キャニスターと、
前記廃棄物収集キャニスターに結合して、前記真空包帯に前記廃棄物収集キャニスターを介して陰圧を提供する陰圧源（negative pressure source）と
を有し、
前記ハウジングは、前記廃棄物収集キャニスターと前記陰圧源とを支持する。
【請求項３３】
請求項２５に記載の前記患者看護装置であって、
前記患者看護装置は患者の胸腔から物質を排液する胸腔ドレナージユニットであり、
前記胸腔ドレナージユニットは、
患者の胸腔からの物質の排液を制御する前記治療制御装置と、
患者の胸腔から前記治療制御装置へ物質を排出する前記治療ラインと、
を有する。
【請求項３４】
請求項２５に記載の前記患者看護装置であって、
前記ベッドに結合しているヘッドウォールを更に備え、
前記ベッドは、前記ヘッドウォールから前記ベッドを介して前記治療制御装置へ延長するラインを有する。
【請求項３５】
請求項３４に記載の前記患者看護装置であって、
前記ラインは電力線である。
【請求項３６】
請求項３４に記載の前記患者看護装置であって、
前記ラインはデータ通信回線である。
【請求項３７】
請求項３４に記載の前記患者看護装置であって、
前記ラインは陰圧ライン（negative pressure line）である。
【請求項３８】
患者に使用するのに適合している患者看護装置であって、前記患者看護装置は、
側部レールを有し、患者を支持するベッドと、
前記ベッドに支持されている患者の胸腔から物質を排出する、前記側部レールに結合されている胸腔ドレナージユニットと、
を備える。
【請求項３９】
請求項３８に記載の前記患者看護装置であって、
前記胸腔ドレナージユニットは患者の胸腔からの物質の排液を制御する制御装置を有し、
前記制御装置は、前記側部レールが上昇位置（raised position）と下降位置（lowered position）との間で動かされるときに前記側部レールに対して動くように、前記側部レールに結合されている。
【請求項４０】
請求項３９に記載の前記患者看護装置であって、
前記側部レールはキャビティを有し、
前記制御装置は、前記側部レールがその上昇位置に配置されると前記キャビティ内に延長して、前記側部レールがその下降位置に配置されると前記キャビティ外に配置される。
【請求項４１】
請求項４０に記載の前記患者看護装置であって、
前記胸腔ドレナージユニットは前記側部レールと前記制御装置とに結合して、前記制御装置が前記キャビティの中へそして外へ動く間に前記制御装置を直立する向きに維持するリンク機構（linkage）を有する。
【請求項４２】
請求項４０に記載の前記患者看護装置であって、
前記キャビティは壁を有し、
前記側部レールは前記壁に結合している陰圧ポートと前記壁に結合しているデータ通信ポートとを有し、
前記側部レールは、
前記陰圧ポートと前記制御装置とに結合して、前記制御装置に陰圧を提供する陰圧ラインと、
前記データ通信ポートと前記制御装置とに結合しているデータ通信回線と、
を有する。
【請求項４３】
請求項３８に記載の前記患者看護装置であって、
前記側部レールは、陰圧ポートと、前記陰圧ポートと前記胸腔ドレナージユニットとに結合して前記胸腔ドレナージユニットに陰圧を提供する陰圧ラインと、を有する。
【請求項４４】
請求項３８に記載の前記患者看護装置であって、
前記側部レールは、データ通信ポートと、前記データ通信ポート及び前記胸腔ドレナージユニットに結合しているデータ通信回線と、を有する。
【発明の詳細な説明】
【技術分野】
【０００１】
本開示は、医療施設にいる患者を治療するための患者看護装置に関する。患者看護装置は、例えば、一人以上の患者にサービスを提供するヘッドウォール、患者用のベッド、及び別の患者看護装置を有する。
【０００２】
関連出願への相互参照
本願は、２００１年５月２５日に出願された米国特許仮出願第６０／２９３，９４９号に対して米国特許法第１１９（ｅ）条に基づく優先権を主張し、同特許出願の開示を本明細書に援用する。
【背景技術】
【０００３】
医療施設の部屋にヘッドウォールを設けることは周知である。一般的にヘッドウォールは部屋の一つの壁の隣に取り付けられて、サービスを、例えば、患者、患者用のベッド、及び別の患者看護機器のうちの一つ或いは一つ以上に提供する。
【発明の開示】
【課題を解決するための手段】
【０００４】
本開示によると、ヘッドウォールは医療施設にある部屋にあるベッドとともに使用するのに適合している。ヘッドウォールは、ベッドに第一サービスを提供する第一サービスコネクタを有する。ヘッドウォールは、キャビティを有する第二サービスデリバリーユニットと、ベッドに第二サービスを提供する第二サービスコネクタとを有する。第二サービスデリバリーユニットは、壁と第一サービスデリバリーユニットとの少なくとも一つに支持され、第二サービスコネクタがキャビティ内に配置される収納位置と、第二サービスコネクタがキャビティ外に配置される使用位置との間で動き、ベッドが第二サービスデリバリーユニットに結合することを可能にして第二サービスコネクタからベッドへ第二サービスを伝送する。
【０００５】
本開示の別の態様によると、ヘッドウォールは、壁に結合される支持体と、サービスデリバリーユニットとを有する。サービスデリバリーユニットはサービスコネクタを有し、支持体に結合されて、サービスデリバリーユニットはサービスコネクタが壁に隣接するように配置される収納位置と、サービスコネクタが第一位置から離れて設置されて、ベッドがサービスデリバリーユニットに結合することが可能になりサービスをサービスコネクタからベッドへ伝送する使用位置と、の間で回転可能に動く。サービスコネクタは、電力コンセントと、陰圧ポートと、医療ガスポートと、作動流体ポートと、モータとのうちの一つである。
【０００６】
本開示の別の態様によると、ヘッドウォール装置は、共有壁を共有している、第一ベッドが中にある第一部屋と第二ベッドが中にある第二部屋とを有する医療施設で使用するのに適合している。ヘッドウォール装置は、第一ベッドに第一サービスを提供する第一部屋に配置される第一ヘッドウォールと、第二ベッドに第二サービスを提供する第二部屋に配置される第二ヘッドウォールとを備える。ヘッドウォール装置は、共用壁内の開口に配置される、第一ヘッドウォールと第二ヘッドウォールとが結合されるブリッジ部分とを備える。
【０００７】
本開示の別の態様によると、患者看護装置は患者に使用するのに適合している。患者看護装置は、側部レールを有する、患者を支持するためのベッドを備える。患者看護装置は、治療制御装置と、治療制御装置に結合して治療制御装置が制御する治療を患者に提供する治療ラインとを有する患者治療機器とを有する。治療制御装置は側部レールに結合されて側部レールにあるキャビティ内に配置される。
【０００８】
本開示の別の態様によると、患者看護装置は、ベッドに支持されている患者の胸腔から物質を排出する胸腔ドレナージユニットを有する。胸腔ドレナージユニットは側部レールに結合されている。
【０００９】
さらなる特徴は、現在認識される限り最良の形態を例示する例示の実施例の以下の詳細な説明を検討することで当業者に明らかになるであろう。
【発明を実施するための最良の形態】
【００１０】
＝＝＝図面の詳細な説明＝＝＝
図１〜図３に示すように、医療施設１４の部屋１３の壁１２にヘッドウォール１０が取り付けられている。ヘッドウォール１０は、部屋１３の中にある病院用ベッド１６（図２〜図３を参照）に伝送される種々のサービスを提供する。施設１４は、例えば、病院、看護施設、患者の自宅、或いは患者を治療する他の場所である。
【００１１】
図１〜図３に示すように、ヘッドウォール１０は第一サービスデリバリーユニット１８と第二サービスデリバリーユニット２０とを有する。ユニット１８は、ハウジング２８と、ベッド１６にサービスを伝送するためハウジングに搭載されている複数の第一サービスコネクタ２２とを有する。ユニット２０は、ハウジング４０と、ベッド１６にサービスを伝送するためハウジングに搭載されている複数の第二サービスコネクタ２４とを有する。
【００１２】
サービスコネクタ２２、２４は、ベッド１６に種々のサービスを提供するように配置されている。いくつかのサービスコネクタ２２、２４は、ベッド１６に電力を提供する電力コンセントである。いくつかのサービスコネクタ２２、２４は、ベッド１６に医療ガス、例えば、酸素、窒素、及び空気のうち任意の一つ或いは一つ以上を提供する医療ガスポートである。いくつかのサービスコネクタ２２、２４は、ベッド１６に陰圧を提供する陰圧ポートである。そのような陰圧ポートに陰圧を供給する陰圧源（図示しない）は、例えば、施設１４の中央陰圧源或いはユニット１１８、１２０、壁１１２の一つ或いは他の適切な場所に搭載されたポンプである。いくつかのサービスコネクタ２２、２４は、例えば、音声データ、ビデオデータ、及び情報データのうち任意の一つ或いは一つ以上のデータなどをベッド１６に伝送するデータ通信ポートである。部屋１３から離れて設置された機器からサービスを受けるサービスライン（図示しない）は、壁１２を介して関連するサービスコネクタ２２、２４へ配線される。
【００１３】
ユニット１８、２０は部屋１３に設けられている。ユニット１８のハウジング２８は固定位置で壁１８に取り付けられている。ユニット２０のハウジング４０は、ユニット２０が収納位置（図１を参照）と使用位置（図２、図３を参照）との間で回転動作をするように、ハウジング２８に搭載されている。従って、ハウジング２８はユニット２０の支持体として作用する。いくつかの実施例では、ユニット２０はユニット１８に加えて或いはその代わりに壁１２に設けられている。ユニット２０は収納位置にあるときには、ハウジング２８に形成されたキャビティ２６の中に収まり壁１２に沿って垂直に延長している。ユニット２０は使用位置にあるときには、壁１２から水平に離れるように延長して、ベッド１６がユニット２０に結合することが可能になりユニット２０からベッド１６へサービスを直接伝送する。ハウジング４０の端面３８に結合しているサービスコネクタ２４は、収納位置のときにはキャビティ２６内に配置され、使用位置のときにはキャビティ２６外に配置される。ベッド１６がユニット２０に結合すると、ユニット２０はベッド１６の患者支持デッキ２９をユニット１８から離し、そのため患者支持デッキ２９が上下する間に患者支持デッキ２９はユニット１８と接触しない。
【００１４】
図１に示すように、ハウジング２８及びハウジング４０は、ハウジング４０が収納位置のときにハウジング２８内に収まるように構成されている。図１〜図３に示すように、ハウジング２８は、水平に延長する上部分３０と上部分３０から下方に延長する一組の側部分３２とを有する。上部分及び側部分３０、３２が連携してキャビティ２６を設けて、下向きのＣ字型を形成する。図２〜図３に示すように、ハウジング４０は、両側にある側面４２と、側面４２の間に配置されている端面３８とを有する。収納位置のときには、各々の側面４２は側部分３２の隣で側部分３２の一つに面して、端面３８は上部分３０に隣接してこれに面している。図１〜図３の側部分３２の一つについて示すように、各側部分３２はいくつかの第一サービスコネクタ２２が結合されている表面３４を有する。
【００１５】
図１と図２に示すように、上部分３０は中央切欠き３６を有する。切欠き３６は上部分３０の下方前縁３７に形成されて、それで介護者がユニット２０をその収納位置と使用位置との間で回転することができるように、第二サービスコネクタ２４が結合しているユニット２０の端面３８に介護者がアクセスするのを可能にしている。
【００１６】
図３に示すように、使用位置のときには、ユニット２０はベッド１６の基部４６に形成されているユニット収容空間４４の中へと延長するように配置されている。ベッド１６がユニット２０に結合すると、少なくともいくつかのサービスコネクタ２４は基部４６の対応するサービスコネクタ（図示しない）に結合されてベッド１６にサービスを提供する。
【００１７】
いくつかの実施例では、図２に示すように、基部４６は油圧ポンプ及びコントローラパッケージ４４を有し、ユニット２０はハウジング４０の内部部分５０に収容される電気モータ４７及び作動流体貯留部（hydraulic fluid reservoir）４８を有する。パッケージ４４のコントローラ部分（controller portion）はモータ４７に結合してモータ４７の作動を制御する。モータ４７が有する第二サービスコネクタ２４のうちの一つのシャフト５２は、パッケージ４４の油圧ポンプ部分（hydraulic pump portion）に結合されて油圧ポンプ部分を作動させる。その結果、油圧ポンプ部分は作動流体ポートを設けている第二サービスコネクタ２４のうちの一つを介して作動流体貯留部４８に結合して、ベッド１６の種々の部分の動作を制御する、ベッド１６に搭載されている種々の作動流体シリンダー（図示しない）に作動流体を注入する。そのような動作は、患者支持デッキ２９を回動可能に取り付けること、患者支持デッキ２９を基部４６に対して傾斜させること、及び基部４６に対して患者支持デッキ２９の上昇を調節することを含む。モータ４７及び作動流体貯留部４８をユニット１８に搭載して収容することは、それらをベッド１６に搭載するときよりベッド１３を軽くするため、ベッド１３は施設１４の中でより簡単に搬送される。
【００１８】
図４に示すように、背中合わせのヘッドウォール装置１０８は、施設１４内の一組の隣接する部屋１１３に設置されている一組の病院用ベッド１１６に種々のサービスを提供するように構成されている。装置１０８は、各部屋１１３に一つずつある一組のヘッドウォール１１０と、ヘッドウォール１１０に結合している両方の部屋１１３に共通する壁１１２に形成された開口１１５内に搭載されてヘッドウォール１１０にサービスを提供するブリッジ部分１１１とを有する。従って、ヘッドウォール１１０は壁１１２の両側に設置されてベッド１１６にサービスを提供する。
【００１９】
図４に示すように、各ヘッドウォール１１０は第一サービスデリバリーユニット１１８と第二サービスデリバリーユニット１２０とを有する。ユニット１１８は、ハウジング１２８と、ハウジングに取り付けられていて各ベッド１１６に伝送されるサービスを提供する複数の第一サービスコネクタ１２２とを有する。ユニット１２０は、ハウジング１４０と、ユニットに取り付けられていて各ベッド１１６にサービスを伝送する複数の第二サービスコネクタ１２４とを有する。
【００２０】
サービスコネクタ１２２、１２４は、各ベッド１１６に種々のサービスを提供するように配置されている。いくつかのサービスコネクタ１２２、１２４は、各ベッド１１６に電力を提供する電力コンセントである。いくつかのサービスコネクタ１２２、１２４は、各ベッド１１６に医療ガス、例えば、酸素、窒素、及び空気の任意の一つ或いは一つ以上を提供する医療ガスポートである。いくつかのサービスコネクタ１２２、１２４は、各ベッド１１６に陰圧を提供する陰圧ポートである。陰圧ポートに陰圧を供給する陰圧源（図示しない）は、例えば、施設１４の陰圧源或いはユニット１１８、１２０、壁１１２のうちの一カ所、或いはある他の適切な場所に搭載されたポンプである。いくつかのサービスコネクタ１２２、１２４はデータ、例えば、音声データ、ビデオデータ、及び情報データの任意の一つ或いは一つ以上を各ベッド１１６に伝送するデータ通信ポートである。各ベッド１１３は、基部１４６と、基部１４６に収容されていて各ヘッドウォール１１０のサービスコネクタ１２４と接続するコントロールパッケージ１６２とを有する。
【００２１】
各ヘッドウォール１１０に対して、ハウジング１２８は壁１８に固定位置に搭載されて、ハウジング１４０はハウジング１２８に搭載され、ユニット１２０が収納位置と使用位置との間で回転移動する（図４を参照）。ハウジング１２８はユニット１２０の支持体として作用する。いくつかの実施例では、ユニット１２０は、ユニット１１８に加えて或いはその代わりに、壁１１２及び／又はブリッジ部分１１１に搭載される。収納位置のときには、ユニット１２０は垂直に配置されて、ハウジング１２８の側部分１３２の間に設けられるキャビティ１２６内に収まる。使用位置のときには、ユニット１２０は水平に延長して、各ベッド１６の基部１４６に収容されているコントロールパッケージ１６２がユニット１２０に結合するのが可能になり、ユニット１２０から直接各ベッド１１６にサービスが伝送される。ハウジング１４０の端面１３８に結合しているサービスコネクタ１２４は、収納位置のときにはキャビティ１２６内に配置されて、使用位置のときにはキャビティ１２６外に配置される。各ベッド１１６がユニット１２０に結合されると、ユニット１２０は各ベッド１１６の患者支持デッキ１２９をユニット１１８から離し、患者支持デッキ１２９の上昇中及び下降中に患者支持デッキ１２９がユニット１１８と接触することは無いようにする。
【００２２】
図４に示すように、床係合支持体或いは支持足１３０は各ハウジング１４０に係合している。支持足１３０が各部屋１１３の床と係合すると、各ユニット１２０はその使用位置に配置される。
【００２３】
図４に示すように、ブリッジ部分１１１は、ハウジング１２８、１４０及び壁１１２の間に結合して配置されるハウジング１５４を有する。ハウジング１５４は内部部分１５６を設けて、内部部分１５６内に配置されるサービスデリバリー機器１５８を有する。機器１５８は部屋１１３から離れて設置されている機器（図示しない）からサービスを受け取るサービスライン１２５を含み、サービスライン１２５は壁１１２及び内部部分１５６を通りヘッドウォール１１０の関連サービスコネクタ１２２、１２４に配線される。
【００２４】
図４に示すように、いくつかの実施例では、機器１５８は電気モータ１４７、作動流体貯留部１４８、及びポンプ１４９を含む。モータ１４７、貯留部１４８、及びポンプ１４９は内部部分１５６に収容されて、作動流体を、各ヘッドウォール１１０を介して各ベッド１１６へ提供するように協同する。モータ１４７はポンプ１４９に結合してポンプ１４９を作動させる。ポンプ１４９は貯留部１４８と各ヘッドウォール１１０のバルブパック１６０とに結合して、作動流体を貯留部１４８から各バルブパック１６０へ注入する。各バルブパック１６０はバルブを一つ或いは一つ以上有し、バルブは特定のサービスコネクタ１２４を開閉して、各ベッド１１３への対応する作動流体流路（hydraulic fluid flow paths）を開閉する。モータ１４７、貯留部１４８、及びポンプ１４９をブリッジ部分１１１に収容することで、いずれのベッド１１３もこれら部品を保持する必要はなく、そのためベッド１１３の重量は軽くなり、ベッド１１３を施設１４の中でより簡単に搬送できるようになる。
【００２５】
図５に示すヘッドウォール２１０は、施設１４の部屋２１３に設置されている病院用ベッド２１６の基部２４６に結合するように構成されていて、ベッド２１６にサービスを提供する。ヘッドウォール２１０は、部屋２１３の壁２１２に搭載されている壁取り付けユニット２１８（wall-mounted unit）と、部屋２１３の床２２１に搭載されている床取り付けユニット（floor-mounted unit）２２０とを有する。
【００２６】
ユニット２１８は一組の側部分２３２を有する。部分２３２は複数の第一サービスコネクタ２２２を有し、第一サービスコネクタ２２２は、例えば、電力を提供する電力コンセントである。
【００２７】
ユニット２２０は、床２２１をたどり壁２１２から離れて延長して基部２４６と直接接続する。ユニット２２０はユニット２１８の底面と床２２１との間を垂直に延長する垂直部分２６０を有し、部分２６０から離れて床２２１をたどり水平に延長する水平部分２６２を有する。ユニット２２０は、水平部分２６２から上方に延長しており、部分２６０から離れているインターフェース部分２６４を更に有する。
【００２８】
インターフェース部分２６４は第二サービスコネクタ２２４を含み、基部２４６がインターフェース部分２６４と結合するときには第二サービスコネクタ２２４は基部２４６に含まれる対応しているサービスコネクタ（図示しない）と自動的に結合する。例示するように、コネクタ２２４の少なくとも一つはベッド２１６に含まれる機器（図示しない）を作動させるように電力を供給する。他のコネクタ２２４は、ベッド２１６にある関連した機器とベッド２１６から離れて設置されている機器（図示しない）との間の通信及びデータ伝送のために構成されている。各部分２６０、２６２、２６４は、各コネクタ２２４に配線されるラインが通る内部部分を有する。任意に、インターフェース部分２６４は、酸素、窒素、空気、及び他のガス等の任意の一つ或いは一つ以上の医療ガスと、陰圧とをベッド２１６に提供するように構成されている追加のサービスコネクタを含む。基部２４６がインターフェース部分２６４に結合しているときには、基部２４６とインターフェース部分２６４とが協力して基部２４６のサービスコネクタがサービスコネクタ２２４と敏速にそして簡単に結合されて、その結果種々の電力コード、ガスライン、データライン、及び通信回線を取り扱う必要性がなくなる。
【００２９】
基部２４６は主要な中央部分２６６を含み、中央部分２６６はその端部にドーム形部分２６８を含むように形成されている。インターフェース部分２６４は上部面２７０を有し、上部面２７０はドーム形部分２６８の外形の上部面２７２と一致して、ベッド２１６がインターフェース部分２６４に結合しているときには上部面２７０及び２７２が概して連続する表面を成す。基部２４６はアーム部分２７４を更に含み、アーム部分２７４は壁２１２に向かい中央部分２６６の角部から横に外側に延長して、アーム部分の間に結合用の空間２７６を画定する。基部２４６がインターフェース部分２６４に結合するときにユニット２２０は結合用の空間２７６へと延長する。基部１９２は床２２１と接触するキャスター２７８を更に含む。二つのキャスター２７８がアーム部分２７４の各々の遠位端に搭載される。
【００３０】
図６〜図８に患者看護装置３０９が示される。装置３０９は、病院用ベッド３１６と、胸腔ドレナージユニット３４２（例えば、Ｐｌｅｕｒ  Ｅｖａｃ（登録商標）胸腔ドレナージユニット）などの患者看護機器とを有し、胸腔ドレナージユニット３４２はベッド３１６に組み込まれてベッド３１６に支持されている患者の胸腔から物質を排液するように構成されている。
【００３１】
病院用ベッド３１６は、マットレス３２４、マットレス３２４を支持するデッキ（図示しない）、基部３２６、及び基部３２６とデッキとに結合しているリフトアッセンブリ（図示しない）を含む。ベッド３１６はデッキに結合している側部レールアッセンブリ３２２を更に含み、側部レールアッセンブリ３２２は図６に示す上昇位置と図８に示す下降位置との間で動く。側部レールアッセンブリ３２２は長手方向に延長する主部分３２８と、主部分３２８の両端部に付いている一対のハンドル部分３３０とを含む。介護者はハンドル部分３３０を握り、病院で搬送するときに病院用ベッド３１６を移動させる。ハンドル部分３３０は、側部レールアッセンブリ３２２を上げたり下げたりする間も介護者に握られる。側部レールアッセンブリ３２２は、主部分３２８の横の外に面している垂直面に結合している第一コントロールパネル３３２と、主部分３２８の横の外に面している垂直面に結合している第二コントロールパネル３３４と、主部分３２８の下端に形成されたハンドル収容切欠き３３８に入るように位置づけられた解除ハンドル３３６とを更に含む。
【００３２】
側部レールアッセンブリ３２２が上昇位置にあるときに、解除ハンドル３３６を解除位置に動かすと側部レールアッセンブリ３２２のロック機構（図示しない）が解除されて、側部レールアッセンブリ３２２が上昇位置から下降位置へと自動的に下降することが可能になる。第一制御パネル３３２は複数の入力を含み、介護者が入力により病院用ベッド３１６のデッキを上昇させ、下降させ、傾斜させ、屈曲させる種々の駆動機構（図示しない）を制御する。コントロールパネル３３２と概して同様の第三制御パネル（図示しない）は主部分３２８の内側に面する表面に結合されて、患者が病院用ベッド３１６のデッキを上昇させ、下降させ、傾斜させ、屈曲させるように使用される。第二制御パネル３３４は、側部レールアッセンブリ３２２に搭載されている胸腔ドレナージユニット３４２の制御に専用に使われる。いくつかの実施例では、第二制御パネル３３４は、病院用ベッド３１６に組み込まれている他の専用の患者看護装置、例えば、注入ユニット、真空包帯ユニット、或いは、患者監視機器と、患者体温調節機器と、排出物管理機器（waste management equipment）とを含む他の任意の患者看護機器などの制御に専用に使われる。
【００３３】
側部レールアッセンブリ３２２の主部分３２８は図７と図８に示すキャビティ３４０を含むように形成されて、キャビティ３４０は主部分３２８の下端で開放して、主部分３２８の垂直面の外側に面して開放している。胸腔ドレナージユニット３４２の治療制御装置３４５（medical treatment control unit）は、マットレス３２４上の患者の胸腔から物質の排液を制御するように構成されて、側部レールアッセンブリ３２２に結合されて、図６に示すように側部レールアッセンブリ３２２が上昇位置のときには制御装置３４５の上部分はキャビティ３４０の下部分に収容される。側部レールアッセンブリ３２２は、制御装置３４５の上面の上方の空間を占有するキャビティ３４０の部分を覆う長方形パネル３４４を含む。例示するキャビティ３４０は、制御装置３４５のハウジングのように、概して長方形の形状である。しかしながら、キャビティ３４０は長方形以外の形状であっても良く、ベッド３１６に組み込まれる専用の患者看護機器の形状に従う。
【００３４】
胸腔ドレナージユニット３４２は、図６及び図８に示すように、治療用または胸腔ドレナージ管３４７を有する。管３４７は制御装置３４５に結合されて側部レールアッセンブリ３２２を通りマットレス３２４の患者支持部分へと延長して、マットレス３２４に支持されている患者の胸腔から物質を制御装置３４５へ排液する。
【００３５】
図６および図７に示すように、外部の陰圧（即ち、大気圧より低い圧力）ライン３４６及び外部通信回線３４８は病院用ベッド３１６の基部３２６から延長して、ヘッドウォール３４９のサービスコネクタに接続するように構成されている。代替の実施例では、ベッド３１６の基部３２６は図５に示す基部２４６と同様に構成されて、図２及び図３に示すベッド１６の基部４６と同様に構成されて、ヘッドウォール１０、２２０の各ユニット２０、２２０に結合することが可能となり、ライン３４６、３４８を除去することが可能になる。そのような別の実施例では、ベッド３１６は、各ユニット２０、２２０から陰圧を受けて、各ユニット２０、２２０と通信データを交換する。
【００３６】
図８に示すように、側部レールアッセンブリ３２２は、制御装置３４５の上面と垂直なキャビティ側壁３５４に配置されている陰圧ポート３５２との間に延長している内部陰圧ライン３５０を含む。図８に示すように、側部レールアッセンブリ３２２は、制御装置３４５の上面と垂直なキャビティ側壁３５４に配置されている陰圧ポート３５２の下に配置されている通信ポート３５８との間に延長している通信回線３５６を更に含む。ベッド３１６は追加の陰圧ライン３５７と、ライン３４６、３４８をライン３５０、３５６のそれぞれと相互接続する通信回線３５９とを含む。胸腔ドレナージユニット３４２をベッド３１６の側部レールアッセンブリ３２２に組み込むことにより、胸腔ドレナージユニット３４２と関連する多くの陰圧ライン及び通信回線は妨げにならないように見えなくして、ベッド３１６周辺に散らかっている物を減らし、胸腔ドレナージ管が他の患者治療機器に関連する線或いは管とからみ合う可能性を最小限にする。
【００３７】
図６に示すように、側部レールアッセンブリ３２２が上昇位置にあるときに、制御装置３４５の大部分はキャビティ３４０の外へ下方に延長する。ベッド３１６のリフトアッセンブリの位置に調整されるように、ベッド３１６のデッキの基部３２６に対する上昇により、側部レールアッセンブリ３２２が上昇位置から下降位置へ移動する間に制御装置３４５の底面が床と接触してもよい。しかし、側部レールアッセンブリ３２２は支持足またはリンク機構３６０を含み、支持足またはリンク機構３６０はキャビティ３４０内で主部分３２８に結合していて制御装置３４５の上端に結合している。側部レールアッセンブリ３２２が上昇位置と下降位置との間の任意の中間位置にあるときに制御装置３４５の底面が床と接触しても、側部レールアッセンブリ３２２が上昇位置と下降位置との間で移動する間、リンク機構３６０は制御装置３４２を概して直立の向きで維持するような構成である。パネル３４４はその上端が側部レールアッセンブリ３２２の主部分３２８に回転可能に結合されて、例えば、図７に示すように、制御装置３４５の底面が床に接触した後、リンク機構３６０はパネル３４４を主部分３２８から離れて横に外に回転させる。
【００３８】
図９に患者看護装置４０９を示す。装置４０９は、病院用ベッド４１６と、病院用ベッド４１６に組み込まれていてベッド４１６に支持されている患者４１１に投薬するように構成されている注入ユニット４１８などの患者看護機器を有する。
【００３９】
図９に示すように、ベッド４１６は、マットレス４２４と、マットレス４２４を支持するデッキ４２５と、デッキ４２５に結合している第一或いはヘッドエンド側部レールアッセンブリ４２２と、デッキ４２５に結合している第二或いはフットエンド側部レールアッセンブリ４２３とを含む。側部レールアッセンブリ４２３は、側部レールアッセンブリ４２２からは離れているが長手方向に並んでいる。側部レールアッセンブリ４２２は、主部分４２８と、主部分４２８の両端部に結合されている一組のハンドル部分４３０とを含む。介護者はハンドル部分４３０を握り、病院内でベッド４１６を搬送中に病院用ベッド４１６を操作する。また側部レールアッセンブリ４２２を上昇中及び下降中に介護者はハンドル部分４３０を握る。
【００４０】
側部レールアッセンブリ４２３は一つ或いは一つ以上制御パネル４３２が結合されている主部分４２９を含み、側部レールアッセンブリ４２３は一つ或いは一つ以上のハンドル部分４３１をも含む。各々の側部レールアッセンブリ４２２、４２３は対応する解除ハンドル４３６を含み、解除ハンドル４３６は対応している側部レールアッセンブリ４２２、４２３のロックを解除して、図９に示すように、各々の上昇位置から、各々の下降位置（図示しない）に移動するように動かされる。
【００４１】
側部レールアッセンブリ４２２の主部分４２８は、患者看護機器の様々な部品を中に収容するような寸法のキャビティ４４０を含むように形成されている。例えば、例示するキャビティ４４０は、一組の注入ユニット４１８（図９には一つのみ示す）を収容するような寸法である。キャビティ４４０は、主部分４２８の上端４４２が開放され、主部分４２８の外側に面している垂直面４４４が開放されている。従って、キャビティ４４０は、ベッド４１６の長手寸法と平行に延長する垂直な後壁面４４６と、ベッド４１６の断面寸法と平行に延長する一組の垂直側壁面４４８とに限られている。側部レールアッセンブリ４２２の主部分４２８は、キャビティ４４０の下にあり主部分４２８の底面に沿って延長するレッジ４５０を含む。レッジ４５０は一組の切欠き４５２を含む。
【００４２】
一つ或いは一つ以上のカプラ４５４は、図９に示すように後壁面４４６に取り付けられるか後壁面４４６に形成される。注入ユニット４１８はカプラ（図示しない）を有するハウジング４５６を含み、カプラはカプラ４５４と結合して、注入ユニット４１８を側部レールアッセンブリ４２２に搭載する。カプラ４５４は、例えば、頭付きピン（headed pins）或いはボルトを含んでも良く、注入ユニット４１８のカプラは頭付きピン及びボルトを収容する鍵穴（keyhole slots）を含んでも良い。本開示によると、カプラ４５４及びユニット４１８にあるカプラは、開口に収容されるラッチ、ピン或いは穴（eye）に引っかかるホック、ユニット４１８を捕らえるストラップ、突起に留まるクランプ或いはグリッパー、磁石、及び受け口に収容される栓（plugs）または針状突起（barb）などの多くの他の種類の構造を含んでも良い。
【００４３】
例示する注入ユニット４１８は、患者４１１への投与した薬剤の患部への到達を制御するように構成された制御装置４５７を含む。制御装置４５７は、ハウジング４５６と、ハウジング４５６に結合している注射器などの垂直に配置された円柱状薬物容器４５８と、容器４５８からの薬物の放出を制御するコントローラ４５９とを含む。注入ユニット４１８は、周知の方法で容器４５８からベッド４１６にいる患者４１１に注入ライン４６０を介して薬物を送り届ける。ハウジング４５６の底面はレッジ４５０に載せられて、ライン４６０は容器４５８から一つの切欠き４５２を通り下方に延長する。ハウジング４５６はキャビティ４４０に収まる寸法であり、ハウジング４５６のどの部分もキャビティ４４０からはみ出ることはない。更に、キャビティ４４０は、その中に二つの注入ユニット４１８が並んで収まることができるような寸法である。キャビティ４４０から外に延長しているハウジングを有する他の種類の患者看護機器が側部レールアッセンブリ４２２の主部分４２８に搭載されることは、本開示の範囲内である。
【００４４】
図９に示すように、電力線４６２は注入ユニット４１８からベッド４１６を通り、ヘッドウォール４６４のサービスコネクタへ通されて、注入ユニット４１８に電力を供給する。代替の実施例では、図２及び図３に示すベッド１６の基部４６のように構成されて、図５に示すベッド２１６の基部２４６のように構成されている基部（図示しない）をベッド４１６は有し、基部はヘッドウォール１０、２２０の各ユニット２０、２２０に結合することができて、その結果ベッド４１６の外部にある線４６２の部分４６６の除去が可能になる。
【００４５】
図１０は患者看護装置５０９を示す。装置５０９の一部の部品は装置４０９の部品と同様であるため、同様の参照番号は同一部品を示す。装置５０９はベッド４１８に組み込まれて患者４１１の傷に真空治療を行うように構成されている真空包帯ユニット５１８（注入ユニット４１８の代わりに）を有する。装置５０９とともに使用するのに適している真空包帯ユニットは、２００１年５月３１日に公開された国際公開０１／３７９２２号Ａ２に開示され、その開示は本明細書に援用される。
【００４６】
真空包帯ユニット５１８は、患者４１１の傷に施す真空治療を制御する制御装置５５７と、傷に対応する真空包帯５７０と、制御装置５５７が制御して供給している陰圧を包帯５７０に与える制御装置５５７から包帯５７０に延長している陰圧ライン５６０とを有する。制御装置５５７は、キャビティ４４０内の表面４４４に取り付けられてレッジ４５０に載せられているハウジング５７１を有する。制御装置５５７は、ハウジング５７１に形成された受け口に取り付けられた廃棄物収集キャニスター５７４と、キャニスター５７４と連結している陰圧源５７２と、陰圧源５７２を制御するコントローラ５７６とを更に有する。陰圧ライン５６０はキャニスター５７４に結合して陰圧源５７２から包帯５７０に陰圧を与えて、包帯５７０から廃棄物がキャニスター５７３の中へ吸引されてその中に収集される。
【００４７】
図１０に示すように、電力線４６２は、制御装置５５７からベッド４１６を通りヘッドウォール４６４のサービスコネクタに通されて、制御装置５５７に電力を供給する。代替の実施例では、ベッド４１６は、図２及び図３に示すベッド１６の基部４６のように構成され、図５に示すベッド２１６の基部２４６のように構成された基部（図示しない）を有し、基部はヘッドウォール１０、２２０の各ユニット２０、２２０に結合することができて、その結果ベッド４１６の外部にある線４６２の部分４６６の除去が可能になる。別の代替の実施例では、ハウジング５７１に収容されるのではなく、包帯５７０の陰圧源はベッド４１６が設置される部屋から離れて設置されて、陰圧ライン（図示しない）は陰圧源にアクセスするために制御装置５５７からベッド４１６を通りヘッドウォール４６４へ配線される。そのように離れて設置された陰圧源とは、例えば、他の病室にも陰圧を提供するような病院の中央陰圧源である。
【００４８】
特定の例示した実施例を詳細に開示したが、添付の請求の範囲に記載され画定される本開示の範囲及び精神の内に、多数の変更例及び変形例が存在する。
【図面の簡単な説明】
【００４９】
【図１】図１は、病室の壁に搭載されたヘッドウォールの斜視図であり、ヘッドウォールは下向きＣ字型の第一サービスデリバリーユニットを含み、第一サービスデリバリーユニットは一組の側部分と側部分の間に延長している上部分とを有し、第二サービスデリバリーユニットは側部分及び上部分の間の収納位置に収まり、側部分の一つは複数のサービスコネクタを有して種々のサービスを病院用ベッドに伝送するように提供する。
【図２】図２は、図１と同様の斜視図であり、第二サービスデリバリーユニットが第一サービスデリバリーユニットに対して使用位置へ回転したのを示し、第二サービスデリバリーユニットは複数のサービスコネクタを有し、病院用ベッドは第二サービスデリバリーユニットと結合するように配置されて第二サービスデリバリーユニットのサービスコネクタから病院用ベッドへサービスを伝送する。
【図３】図３は、図２と同様の斜視図であり、病院用ベッドが第二サービスデリバリーユニットに結合して、電力、通信、空気、及び陰圧などのサービスを第二サービスデリバリーユニットから受け取るのを示し、第二サービスデリバリーユニットがベッドをヘッドウォールに対して適切に位置づけるように構成されて、そのため病院用ベッドの患者支持デッキはヘッドウォールから離れたままでありデッキが上昇中及び下降中の間にヘッドウォールに接触することが回避されるのを示す。
【図４】図４は、背中合わせのヘッドウォール装置の斜視図であり、ヘッドウォールの間に設置されているブリッジ部分により結合されている装置の一組のヘッドウォールを示し、病室の壁がブリッジ部分を囲み、各ヘッドウォールが各々の病室に病室の壁の両側に配置され、各ヘッドウォールはサービスデリバリーユニットを含み、サービスデリバリーユニットは各ヘッドウォールの間に収まる収納位置から使用位置に回転可能であり、離れているほうの病室にある第一病院用ベッドが回転可能な各サービスデリバリーユニットに結合されて、近いほうの病室にある第二病院用ベッドは回転可能な各サービスデリバリーユニットに結合するように配置されている。
【図５】図５は、病室の壁に搭載されている壁搭載ユニットと病室の床に搭載されている床搭載ユニットとを有するヘッドウォールの斜視図であり、壁搭載ユニットと床搭載ユニットとのそれぞれが複数のサービスコネクタを有して床搭載ユニットに結合するように配置された病院用ベッドに種々のサービスを提供する。
【図６】図６は、病院用ベッドの一部の斜視図であり、病院用ベッドは側部レールを含み、胸腔ドレナージユニットは側部レールに結合していて、胸腔ドレナージユニットの上部分が側部レールに形成されたキャビティの下部分に収容されて、側部レールはキャビティの上部分を覆う長方形パネルを含み、病院用ベッドは病院用ベッドの下から延長してヘッドウォールに結合している陰圧線と通信回線とを含むのを示す（図示する）。
【図７】図７は、図６と同様の斜視図であり、側部レールが下降位置に動かされて、胸腔ドレナージユニットの底面が病室の床と接して、長方形のパネルが側部レールから外に横へ回転しているのを示す。
【図８】図８は、図６の側部レールから長方形板を取り外したその一部の拡大斜視図であり、左から右に順番に、胸腔ドレナージユニットの上部分と側部レールのキャビティの垂直左側壁との間で延長して患者（図示しない）の胸腔から物質を排液するドレナージ管と、胸腔ドレナージユニットの上とキャビティの垂直右側壁に配置されている通信ポートとの間に延長している通信回線と、胸腔ドレナージユニットの上と垂直右側壁に配置されている陰圧ポートとの間で延長している陰圧線とを示す。
【図９】図９は、病院用ベッドの一部の斜視図であり、キャビティが形成された病院用ベッドのヘッドエンド側部レールと、キャビティに収容されてベッドに横たわる患者に投薬する注入ユニットと、ベッドからヘッドウォールへ延長して注入ユニットに電力を提供する電力線とを示す。
【図１０】図１０は、病院用ベッドの一部の斜視図であり、キャビティが形成された病院用ベッドのヘッドエンド側部レールと、ベッドに横たわる患者の傷に真空治療を提供するようにキャビティに収容される真空包帯ユニットと、真空包帯ユニットに電力を提供するようにベッドを介してヘッドウォールに延長している電力線とを示す。
【図１】
2005516635.tif 000003
【図２】
2005516635.tif 000004
【図３】
2005516635.tif 000005
【図４】
2005516635.tif 000006
【図５】
2005516635.tif 000007
【図６】
2005516635.tif 000008
【図７】
2005516635.tif 000009
【図８】
2005516635.tif 000010
【図９】
2005516635.tif 000011
【図１０】
2005516635.tif 000012
【国際調査報告】
2005516635.tif 000013
2005516635.tif 000014
2005516635.tif 000015
2005516635.tif 000016
2005516635.tif 000017
2005516635.tif 000018